(57)【要約】【課題】スクリーンに取り付けられた被係止部が、スクリーンのバタつきに伴って外れることを防止できるスクリーン固定部材を提供する。【解決手段】巻き取られる方向に付勢されるスクリーン２１を引き出した状態で屋外床部（固定部）１５に固定するスクリーン固定部材１Ａにおいて、屋外床部１５に固定されてスクリーン２１に取り付けられた固定バー（被係止部）２６２を係止可能な係止溝部（係止部）３２と、固定バー２６２を通過させて係止溝部３２へガイドする固定バー通路（通路）６を形成する通路形成部と、を有し、通路形成部は、固定バー通路６の少なくとも一部を固定バー２６２の外径（外形）よりも小さい幅の幅小部６４に形成する幅小部形成部を有し、固定バー通路６は、固定バー２６２が幅小部６４を押し広げて通過する。【選択図】図３
2019148142.tif 000002
【特許請求の範囲】
【請求項１】
巻き取られる方向に付勢されるスクリーンを引き出した状態で固定部に固定するスクリーン固定部材において、
前記固定部に固定されて前記スクリーンに取り付けられた被係止部を係止可能な係止部と、
前記被係止部を通過させて前記係止部へガイドする通路を形成する通路形成部と、を有し、
前記通路形成部は、前記通路の少なくとも一部を前記被係止部の外形よりも小さい幅の幅小部に形成する幅小部形成部を有し、
前記通路は、前記被係止部が前記幅小部を押し広げて通過することを特徴とするスクリーン固定部材。
【請求項２】
前記固定部に固定されて前記被係止部を前記係止部に向けて付勢する付勢部材を有する請求項１に記載のスクリーン固定部材。
【請求項３】
前記付勢部材は、前記スクリーンが巻取られる方向と同じ方向に前記被係止部を付勢する請求項２に記載のスクリーン固定部材。
【請求項４】
前記通路形成部は、前記係止部と一体に設けられた第１通路形成部と、
前記付勢部材に設けられた第２通路形成部と、を有し、
前記第１通路形成部と前記第２通路形成部との間に前記通路が形成され、
前記通路は、前記被係止部が前記第２通路形成部を、前記被係止部を前記係止部に付勢する方向と反対側に押すことで前記幅小部を押し広げて通過する請求項２または３に記載のスクリーン固定部材。
【請求項５】
前記第２通路形成部には、前記係止部との境界部分に、弾性変形可能に構成されて前記第１通路形成部に向かう側に突出する突出部が形成されている請求項１乃至４のいずれか一項に記載のスクリーン固定部材。
【発明の詳細な説明】
【技術分野】
【０００１】
本発明は、スクリーン固定部材に関する。
【背景技術】
【０００２】
従来、窓などの開口部の屋外側に設けられ、日よけなどとして用いられるスクリーン装置が知られている（例えば、特許文献１参照）。このようなスクリーン装置は、開口部を遮蔽可能なスクリーンが不使用時は開口部の上方に巻き取られた状態で収容され、使用時には下側に引き出された状態で、開口部の枠体や屋外の土間やデッキなどの屋外床部に固定されている。
スクリーン装置は、例えば、スクリーンの下縁部に取り付けられたリングやバーなどの棒状の被係止部が、開口部の枠体や屋外床部に固定されたスクリーン固定部材に引っ掛けられることで、スクリーンがスクリーン固定部材に固定されるように構成されている。
【先行技術文献】
【特許文献】
【０００３】
【特許文献１】特許第６１７６６０６号公報
【特許文献２】特許第６２１６６４８号公報
【発明の概要】
【発明が解決しようとする課題】
【０００４】
しかしながら、強風時など、スクリーンが風にあおられてバタついてしまうと、被係止部も動いてスクリーン固定部材から外れてしまい、スクリーンが巻き上がってしまう虞がある。
【０００５】
そこで、本発明は、スクリーンに取り付けられた被係止部が、スクリーンのバタつきに伴って外れることを防止できるスクリーン固定部材を提供することを目的とする。
【課題を解決するための手段】
【０００６】
上記目的を達成するため、本発明に係るスクリーン固定部材は、巻き取られる方向に付勢されるスクリーンを引き出した状態で固定部に固定するスクリーン固定部材において、前記固定部に固定されて前記スクリーンに取り付けられた被係止部を係止可能な係止部と、前記被係止部を通過させて前記係止部へガイドする通路を形成する通路形成部と、を有し、前記通路形成部は、前記通路の少なくとも一部を前記被係止部の外形よりも小さい幅の幅小部に形成する幅小部形成部を有し、前記通路は、前記被係止部が前記幅小部を押し広げて通過することを特徴とする。
【０００７】
本発明では、被係止部が通路を通過するためには、幅小部を押し広げる必要がある。このため、被係止部が幅小部を押し広げるために必要な力を、強風などによってスクリーンがバタついた際に被係止部に作用する力よりも大きく設定することにより、強風などによってスクリーンがバタついた場合でも、係止部に係止された被係止部が通路通って係止部から外れてしまうことを防止することができる。
【０００８】
また、本発明に係るスクリーン固定部材では、前記固定部に固定されて前記被係止部を前記係止部に向けて付勢する付勢部材を有していてもよい。
このような構成とすることにより、被係止部が係止部に係止された状態を維持することができる。また、付勢部材が設けられていない既存のスクリーン固定部材に対しても、付勢部材を追加して設けることで、被係止部が係止部に係止された状態を維持することができる。
【０００９】
また、本発明に係るスクリーン固定部材では、前記付勢部材は、前記スクリーンが巻取られる方向と同じ方向に前記被係止部を付勢してもよい。
このような構成とすることにより、付勢部材の復元力、およびスクリーンが巻き取られる力の両方で被係止部を係止部に付勢するため、被係止部を係止部に係止された状態に維持することができる。
【００１０】
また、本発明に係るスクリーン固定部材では、前記通路形成部は、前記係止部と一体に設けられた第１通路形成部と、前記付勢部材に設けられた前記第２通路形成部と、を有し、前記第１通路形成部と前記第２通路形成部との間に前記通路が形成され、前記通路は、前記被係止部が前記第２通路形成部を、前記被係止部を前記係止部に付勢する方向と反対側に押すことで前記幅小部を押し広げて通過するように構成されていてもよい。
このような構成とすることにより、通路形成部を形成する第１通路形成部が係止部と一体に形成され、第２通路形成部が付勢部材に形成されているため、スクリーン固定部材を簡便な構造とすることができる。
【００１１】
また、本発明に係るスクリーン固定部材では、前記第２通路形成部には、前記係止部との境界部分に、弾性変形可能に構成されて前記第１通路形成部に向かう側に突出する突出部が形成されていてもよい。
このような構成とすることにより、被係止部が突出部を乗り越える際のクリック感によって被係止部が係止部に係止されているかどうかを確認することができる。
【発明の効果】
【００１２】
本発明によれば、スクリーンに取り付けられた被係止部が、スクリーンのバタつきに伴って外れることを防止できる。
【図面の簡単な説明】
【００１３】
【図１】本発明の第１実施形態によるスクリーン装置一例を示す図である。
【図２】本発明の第１実施形態によるスクリーン固定部材および固定部の斜視図である。
【図３】図２のＡ−Ａ線断面図である。
【図４】スクリーン固定部材および固定部の分解斜視図である。
【図５】付勢部材の平面図である。
【図６】付勢部材の側面図である。
【図７】図３の部分拡大図で、弾性変形した状態および弾性変形していない状態の両方の付勢部材を示した図である。
【図８】第２実施形態によるスクリーン固定部材を示す断面図である。
【図９】第２実施形態による付勢部材の斜視図である。
【図１０】第３実施形態によるスクリーン固定部材を示す断面図である。
【図１１】第３実施形態によるフック部材の斜視図である。
【発明を実施するための形態】
【００１４】
（第１実施形態）
以下、本発明の第１実施形態によるスクリーン固定部材について、図１−図７に基づいて説明する。
図１に示すように、本実施形態によるスクリーン装置２は、建物１１の壁部１２の開口部１３に設けられたサッシ１４の屋外側に設けられている。本実施形態によるスクリーン装置２は、日よけとして用いられている。建物１１の屋外には、土間やデッキなどの屋外床部（固定部）１５が設けられている。
スクリーン装置２は、開口部１３を開閉可能なスクリーン２１と、開口部１３の上部に設けられスクリーン２１を巻取り・巻き出し可能な巻取り部２２と、巻取り部２２から巻き出されたスクリーン２１を屋外床部１５に固定可能なスクリーン固定部材１Ａと、を有している。
以下では、壁部１２に沿った水平方向を左右方向とする。また、屋外において室内側と室外側とを結ぶ方向で壁部１２に直交する水平方向を前後方向とし、屋内（壁部１２）に向かう側を後側、その反対の屋内（壁部１２）と離間する側を前側とする。
【００１５】
図１−図３に示すように、スクリーン２１は、矩形のシート状に形成され上縁部が巻取り部２２（図１参照）に接続されたスクリーン本体２３（図１および３参照）と、スクリーン本体２３の下縁部に沿って設けられたボトムバー２４と、ボトムバー２４に取り付けられスクリーン固定部材１Ａに固定される角形リング２６と、を有している。
スクリーン本体２３は、日射を遮蔽可能な布材で、巻取り部２２が巻取り可能となるように可撓性を有している。スクリーン本体２３は、上縁部および下縁部が左右方向に延びる向きに配置されている。
図１に示すように、スクリーン本体２３は、日よけとして用いられる際には開口部１３の屋外側で広げられて、下縁部が上縁部よりも前側に配置され、壁部１２に対して傾斜した姿勢となっている。スクリーン本体２３は、巻取り部２２に上縁部から巻き取られ、下縁部まで巻き取られるとロール状となって開口部１３の上に収容される。
スクリーン２１は、巻取り部２２によって巻き取られる方向に付勢されていて、巻取り部から巻き出されると、上方に引き上げられて巻き取られるように構成されている。
【００１６】
ボトムバー２４は、直線状に延びる長尺の部材で、スクリーン本体２３の下縁部の略全体にわたって左右方向に延びる向きに取り付けられている。
巻取り部２２は、左右方向に延びる軸線回りに回転してスクリーン本体２３を巻き取り・巻き出す軸部２２１と、軸部２２１を回転させる駆動部２２２と、軸部２２１を収容して回転可能に支持するとともに軸部２２１に巻き取られたスクリーン２１を収容可能な箱状のスクリーンボックス２２３と、を有している。
軸部２２１には、スクリーン本体２３の上縁部が接続されている。
【００１７】
角形リング２６は、台座２７を介してボトムバー２４に取り付けられている。
角形リング２６は、外径が矩形となるリング状に形成されている。
図４に示すように、本実施形態では、角形リング２６は、完全なリング状（環状）ではなくリングの一部が切除されたＣ字形状となっているが、角形リング２６と称して説明する。角形リング２６は、その軸線に直交する断面形状が全体にわたってほぼ同じ円形となるように形成されている。
角形リング２６は、台座２７に取り付けられる一対の台座取り付け部２６１と、スクリーン固定部材１Ａに係止される固定バー（被係止部）２６２と、一対の台座取り付け部２６１と固定バー２６２とを連結する一対の連結部２６３と、を有している。
【００１８】
固定バー２６２は、直線状に延びる棒状に形成されている。固定バー２６２は、スクリーン固定部材１Ａのカバー部材５の左右方向の長さ寸法よりも長く形成されている。
一対の連結部２６３は、それぞれ直線状に延びる棒状に形成され、固定バー２６２の両端部から固定バー２６２と直交する方向に延びている。一対の連結部２６３は、同じ形状で平行に配置され、固定バー２６２に対して同じ側に延びている。
一対の台座取り付け部２６１は、それぞれ直線状に延びる棒状に形成され、一対の連結部２６３それぞれの固定バー２６２と接続されている側と反対側の端部から互いに近接する方向に延びている。一対の台座取り付け部２６１は、互いに同じ形状で、同一直線状に配置されている。一対の台座取り付け部２６１は、それぞれの連結部２６３と接続されている側と反対側の端部どうしが離間している。
【００１９】
固定バー２６２、一対の連結部２６３および一対の台座取り付け部２６１は、一体に形成されている。
角形リング２６は、固定バー２６２および一対の台座取り付け部２６１が左右方向に延びる向きで、一対の台座取り付け部２６１が台座２７に取り付けられている。台座２７に取り付けられた角形リング２６は、台座取り付け部２６１の軸線回りに回動可能に構成されている。
【００２０】
図３および図４に示すように、スクリーン固定部材１Ａは、角形リング２６の固定バー２６２を引っ掛け可能なフック部材３と、フック部材３に引っ掛けられた固定バー２６２をフック部材３から外れないように付勢する付勢部材４と、フック部材３および付勢部材４を覆うカバー部材５と、フック部材３、付勢部材４およびカバー部材５を屋外床部１５に固定する２つの固定ネジ７（図３参照）と、を有している。
スクリーン固定部材１Ａは、付勢部材４、フック部材３およびカバー部材５がこの順に下側から上側に重ねられた状態で、２つの固定ネジ７によって屋外床部１５に固定されている。
以下のスクリーン固定部材１Ａの説明では、スクリーン固定部材１Ａが屋外床部１５に固定されている際の姿勢であるものとする。
【００２１】
フック部材３は、例えばステンレスやスチールなどの金属板を加工して形成されている。
フック部材３は、屋外床部１５に固定されるフック部材固定板部３１と、フック部材固定板部３１と接続され固定バー２６２を下側から引っ掛け可能な係止溝部３２（係止部）が形成されたフック板部３３と、を有している。フック部材固定板部３１とフック板部３３とは、一体に形成されている。
【００２２】
フック部材固定板部３１は、板面が矩形となる平板状に形成され、板面が上下方向を向き、下面が屋外床部１５の上面と平行となる向きに配置されている。フック部材固定板部３１は、縁部が前後方向および左右方向に延びる向きに配置され、前後方向よりも左右方向に長い形状に形成されている。
フック部材固定板部３１の前後方向の中間部には、上下方向に貫通し固定ネジ７が挿通されるフック部材ネジ孔３１１が左右方向に間隔をあけて２つ形成されている。
【００２３】
フック板部３３は、フック部材固定板部３１よりも左右方向の寸法が小さく形成されている。フック板部３３は、フック部材固定板部３１に対して左右方向の中間部に接続されている。フック板部３３は、フック部材固定板部３１の前縁部から上側に向かってやや室外側に向かう斜め方向に延びるフック後板部３３１と、フック後板部３３１の上端部から前側に向かって上側に突出する半円弧を描くように伸びる係止溝形成板部３３２と、係止溝形成板部３３２の前端部から室外側に向かってやや上側に向かう斜め方向に延びるフック前板部３３３と、を有している。
係止溝形成板部３３２の前端部は、フック部材固定板部３１よりも上側に配置されている。
係止溝形成板部３３２の下面には、左右方向に延びて断面形状が下側に開口する略半円弧状の係止溝部３２が形成されている。
係止溝形成板部３３２とフック前板部３３３とが接続されている部分は、下側に凸となるように湾曲している。以下では、係止溝形成板部３３２とフック前板部３３３とが接続されている湾曲している部分を係止溝形成板部３３２とフック前板部３３３との接続部分３３４とする。
【００２４】
付勢部材４は、例えばステンレスやスチールなどの金属板を加工して形成されている。本実施形態では、付勢部材４のほうがフック部材３よりも薄い金属板で形成されている。本実施形態では、フック部材３および付勢部材４とも弾性変形可能に構成されているが、付勢部材４のほうがフック部材３よりも小さい力で弾性変形可能に構成されている。フック部材３および付勢部材４は、形状や材料を調整することで弾性変形の性能を調整している。
【００２５】
図３−図６に示すように、付勢部材４は、屋外床部１５（図３参照）に固定される付勢部材固定板部４１と、付勢部材固定板部４１と接続されフック部材３の係止溝部３２に引っ掛けられた固定バー２６２を上方に付勢するばね板部４２と、を有している。付勢部材固定板部４１と、ばね板部４２とは一体に形成されている。
【００２６】
付勢部材固定板部４１は、板面が矩形となる平板状に形成され、板面が上下方向を向き、下面が屋外床部１５の上面と当接するように配置されている。付勢部材固定板部４１は、縁部が前後方向および左右方向に延びる向きに配置され、前後方向よりも左右方向に長い形状に形成されている。
付勢部材固定板部４１の前後方向の中間部には、上下方向に貫通し固定ネジ７（図３参照）が挿通される付勢部材ネジ孔４１１が左右方向に間隔をあけて２つ形成されている。
付勢部材固定板部４１の後縁部には、上側に突出する突出板部４１２が形成されている。
【００２７】
ばね板部４２は、付勢部材固定板部４１よりも左右方向の寸法が小さく形成されている。ばね板部４２は、付勢部材固定板部４１に対して左右方向の中間部に接続されている。ばね板部４２は、付勢部材固定板部４１の前縁部から前側に向かってやや上側に向かう斜め方向に延びるばね下板部４２１と、ばね下板部４２１の前縁部から後側に向かうように屈曲する円弧版状の屈曲板部４２２と、屈曲板部４２２の後縁部から後側に向かって漸次上側に向かう斜め方向に延びる第１テーパー板部４２３と、第１テーパー板部４２３の後縁部から後側に延びる第１上板部４２４と、第１上板部４２４の後縁部から後側に向かって漸次上側に向かう斜め方向に延びる第２テーパー板部４２５と、第２テーパー板部４２５の後縁部から室内側に向かってやや下側に向かう斜め方向に延びる第２上板部４２６と、を有している。
【００２８】
第１テーパー板部４２３、第１上板部４２４、第２テーパー板部４２５、および第２上板部４２６は、ばね下板部４２１の上方に間隔をあけて配置されている。
第２テーパー板部４２５と第２上板部４２６との接続部分には、角部（突出部）４２７が形成されている。角部４２７は、前側上方に突出している。
【００２９】
ばね板部４２は、上側から負荷がかかると、屈曲板部４２２、第１テーパー板部４２３、第１上板部４２４、第２テーパー板部４２５、および第２上板部４２６が下側に変位してばね下板部４２１との間隔が狭くなるように弾性変形するとともに、ばね下板部４２１が下側に変位するように弾性変形する。このため、ばね板部４２には、上側から負荷がかかると復元力によって上側に向かう力が生じる。
ばね板部４２は、上側から固定バー２６２から押されて弾性変形することでその復元力によって固定バー２６２を上側に付勢して押し付けるように構成されている。図７には、上側から固定バー２６２から押されて弾性変形したばね板部４２を一点鎖線で示し、上側からの負荷を受けていないばね板部４２を実線で示している。
【００３０】
図３に示すように、フック部材３と付勢部材４とは、付勢部材４の付勢部材固定板部４１の上側にフック部材３のフック部材固定板部３１が位置し、付勢部材４のばね板部４２の上側にフック部材３のフック板部３３が位置するように重ねられて屋外床部１５に設置される。
付勢部材固定板部４１の上面とフック部材固定板部３１の下面とは、面接触している。フック部材ネジ孔３１１は、付勢部材固定板部４１の２つの付勢部材ネジ孔４１１の上側に重なっている。
付勢部材固定板部４１の突出板部４１２の前側の面は、フック部材固定板部３１の後縁部と当接している。付勢部材固定板部４１の突出板部４１２は、フック部材３と付勢部材４との位置決めを容易にするために設けられている。
【００３１】
ばね板部４２の第２上板部４２６の後縁部は、フック後板部３３１の前側に配置され、フック後板部３３１の前面と離間している。ばね板部４２の第１テーパー板部４２３および第１上板部４２４は、フック前板部３３３の下側に間隔をあけて配置されている。ばね板部４２の第２テーパー板部４２５は、係止溝形成板部３３２とフック前板部３３３との接続部分３３４の下側に間隔をあけて配置されている。ばね板部４２の第２上板部４２６は、係止溝形成板部３３２の下側に間隔をあけて配置されている。
【００３２】
上述したように、本実施形態のスクリーン固定部材１Ａは、角形リング２６の固定バー２６２をフック板部３３の係止溝部３２に下側から引っかけた状態に係止するように構成されている。
スクリーン固定部材１Ａは、固定バー２６２を係止溝部３２にガイドするための固定バー通路６（通路）が設けられている。固定バー通路６は、フック板部３３のフック前板部３３３、および係止溝形成板部３３２とフック前板部３３３との接続部分３３４と、ばね板部４２の第１テーパー板部４２３、第１上板部４２４および第２テーパー板部４２５との間に形成されている。
【００３３】
フック板部３３のフック前板部３３３、および係止溝形成板部３３２とフック前板部３３３との接続部分３３４と、ばね板部４２の第１テーパー板部４２３、第１上板部４２４および第２テーパー板部４２５と、が本発明の通路形成部に相当している。フック板部３３のフック前板部３３３、および係止溝形成板部３３２とフック前板部３３３との接続部分３３４が、本発明の第１通路形成部に相当し、ばね板部４２の第１テーパー板部４２３、第１上板部４２４および第２テーパー板部４２５が、第２通路形成部に相当している。
【００３４】
固定バー通路６は、フック前板部３３３と第１テーパー板部４２３との間となる第１領域６１と、第１領域６１の後側でフック前板部３３３と第１上板部４２４との間となる第２領域６２と、係止溝形成板部３３２とフック前板部３３３との接続部分３３４と第２テーパー板部４２５との間となる第３領域６３と、を有している。
以下の各領域６１，６２，６３の説明では、スクリーン固定部材１Ａが角形リング２６の固定バー２６２を係止していない状態であるものとする。スクリーン固定部材１Ａが角形リング２６の固定バー２６２を係止していない状態では、付勢部材４のばね板部４２は、図７におけて実線で示している形状となっている。
【００３５】
第１領域６１では、フック前板部３３３と第１テーパー板部４２３との間隔が前側から後側に向かって漸次小さくなっている。フック前板部３３３と第１テーパー板部４２３との間隔は、固定バー２６２の外径よりも大きく設定されている。
第２領域６２では、フック前板部３３３と第１上板部４２４との間隔が、前側から後側に向かって漸次小さくなっている。第２領域６２の前側部分６２１では、フック前板部３３３と第１上板部４２４との間隔が固定バー２６２の径よりも大きく設定されている。第２領域６２の後側部分６２２では、フック前板部３３３と第１上板部４２４との間隔が固定バー２６２の外径よりも小さく設定されている。
【００３６】
第３領域６３では、係止溝形成板部３３２とフック前板部３３３との接続部分３３４と第２テーパー板部４２５との間隔が固定バー２６２の外径よりも小さくなるように設定されている。
固定バー通路６のうちの第２領域６２の後側部分６２２および第３領域６３には、幅（フック部材３と付勢部材４との間隔）が固定バー２６２の外径よりも小さい幅小部６４が形成されている。
第２領域６２の後側部分６２２のフック前板部３３３および第１上板部４２４と、第３領域６３の係止溝形成板部３３２とフック前板部３３３との接続部分３３４および第２テーパー板部４２５が本発明の幅小部形成部に相当している。
第３領域６３の後側で、係止溝部３２とばね板部４２の第２上板部４２６との間隔は、固定バー２６２の外径よりも小さくなるように設定されている。
【００３７】
図３および図４に示すように、カバー部材５は、金属や樹脂などで形成されている。
カバー部材５は、上下に重なったフック部材３および付勢部材４の上側に配置されるカバー上板部５１と、フック部材３および付勢部材４の後側に配置されるカバー後板部５２と、フック部材３および付勢部材４の前側に配置されるカバー前板部５３と、フック部材３および付勢部材４の左右方向の両側に配置される一対のカバー側板部５４と、を有している。
カバー上板部５１、カバー後板部５２、カバー前板部５３およびカバー側板部５４は、一体に形成されている。
【００３８】
カバー上板部５１は、平板状に形成され板面が屋外床部１５と平行となる向きに配置されている。カバー上板部５１には、前後方向の中間部には、上下方向に貫通し固定ネジ７（図３参照）が挿通されるカバー部材ネジ孔５１１が左右方向に間隔をあけて２つ形成されている。カバー部材ネジ孔５１１は、フック部材ネジ孔３１１および付勢部材ネジ孔４１１と上下方向に重なった位置に配置される。
【００３９】
カバー後板部５２は、カバー上板部５１の後縁部から下側に向かってやや後側に向かう斜め方向に延びる平板状に形成されている。カバー後板部５２は、下縁部が屋外床部１５（図３参照）と当接するように配置される。
カバー前板部５３は、カバー上板部５１の後縁部から下側に向かってやや後側に向かう斜め方向に延びる平板状に形成されている。カバー前板部５３は、カバー後板部５２よりも上下方向に小さく形成されている。カバー前板部５３は、フック部材３および付勢部材４の前側に配置され、下縁部が屋外床部１５と離間し、屋外床部１５との間に隙間が形成されるように設置される。カバー前板部５３の下縁部は、フック部材３の係止溝形成板部３３２とフック前板部３３３との接続部分３３４とほぼ同じ高さに配置されている。
【００４０】
カバー側板部５４は、カバー上板部５１の左右方向の両縁部から下側に延びる平板状に形成されている。カバー側板部５４は、室外側のフック部材３のフック板部３３および付勢部材４のばね板部４２の側方となる前側部分５４１がフック部材３のフック部材固定板部３１および付勢部材４の付勢部材固定板部４１の側方となる後側部分５４２よりも上下方向に小さく形成されている。カバー側板部５４は、後側部分５４２の下縁部が屋外床部１５と当接し、前側部分５４１の下縁部が屋外床部１５と離間し屋外床部１５との間に隙間が形成されるように設置される。
カバー側板部５４の前側部分５４１の下縁部は、左右方向から見てフック板部３３の下面に沿った形状に形成されている。
【００４１】
図３に示すように、このようなスクリーン固定部材１Ａは、下側から付勢部材４、フック部材３、カバー部材５の順に重ねられ、付勢部材固定板部４１、カバー後板部５２およびカバー側板部５４の後側部分５４２が屋外床部１５と当接するように屋外床部１５の所定の位置に配置され、カバー部材ネジ孔５１１、フック部材ネジ孔３１１および付勢部材ネジ孔４１１に挿通された固定ネジ７で屋外床部１５に固定されている。
【００４２】
スクリーン固定部材１Ａが屋外床部１５に固定されると、各部材は以下のように配置されている。
付勢部材固定板部４１の後縁部の突出板部４１２は、カバー後板部５２と当接し、フック部材固定板部３１と、カバー後板部５２とに前後方向から挟まれた状態となっている。フック板部３３の前板部の前端面は、カバー前板部５３の後面と当接している。
ばね板部４２のばね下板部４２１は、付勢部材固定板部４１と接続されている後縁部が屋外床部１５と当接し、後縁部から前側に向かって上側に傾斜しているため、屋外床部１５との間に隙間が形成されている。
なお、カバー上板部５１とフック固定板部との間に間隔があるため、カバー部材５にはカバー上板部５１から下側に突出し、フック固定板部の上面と当接する抑え部が設けられていてもよい。
【００４３】
続いて、スクリーン２１をスクリーン固定部材１Ａに固定する方法について説明する。
スクリーン２１を巻取り部２２から引き出し、角形リング２６を屋外床部１５に近づける。
角形リング２６の固定バー２６２を、スクリーン固定部材１Ａのフック部材３と付勢部材４との間の固定バー通路６に前側から挿入し、固定バー通路６に沿って後側に移動させる。
【００４４】
固定バー２６２は、まず、固定バー通路６の第１領域６１を後側に向かって移動する。このとき、固定バー２６２がフック前板部３３３または第１テーパー板部４２３と当接すると、固定バー２６２を当接した板部に沿って後側に移動させることができる。
【００４５】
固定バー通路６の第１領域６１を通過した固定バー２６２は、固定バー通路６の第２領域６２を後側に向かって移動する。第２領域６２では、後側部分６２２の幅小部６４におけるフック前板部３３３と第１上板部４２４との間隔が固定バー２６２の外径よりも小さいため、途中でフック前板部３３３および第１上板部４２４の両方に当接し、第１上板部４２４を下側に押すように付勢部材４を弾性変形させながら後側に移動する。
なお、フック部材３も弾性変形可能であるが、フック部材３よりも付勢部材４のほうが小さい力で弾性変形可能であるため、フック部材３は弾性変形しないか、ほとんど弾性変形しないこととなる。
【００４６】
固定バー通路６の第２領域６２を通過した固定バー２６２は、固定バー通路６の第３領域６３を後側に向かって移動する。第３領域６３は、係止溝形成板部３３２とフック前板部３３３との接続部分３３４と第２テーパー板部４２５との間隔が固定バー２６２の外径よりも小さい幅小部６４であるため、第２テーパー板部４２５を下側に押すように付勢部材４を弾性変形させながら後側に移動する。
【００４７】
固定バー通路６の第３領域６３を通過した固定バー２６２は、係止溝形成板部３３２の係止溝部３２とばね板部４２の第２上板部４２６との間に入り込む。係止溝部３２とばね板部４２の第２上板部４２６との間隔は、固定バー２６２の外径よりも小さくなるように設定されているため、付勢部材４は、第２上板部４２６が固定バー２６２に下側に押されて弾性変形する。これにより、固定バー２６２は、付勢部材４の復元力によって上側（係止溝部３２側）に付勢され、係止溝部３２に収容された状態に維持される。
本実施形態では、付勢部材４によって固定バー２６２が付勢される方向は、スクリーン２１が巻取り部２２に引き上げられる方向と同じ方向となるように設定されている。
【００４８】
上述したように、第２テーパー板部４２５と第２上板部４２６との接続部分には、角部４２７が形成されている。これにより、第３領域６３から係止溝部３２とばね板部４２の第２上板部４２６との間に移動する固定バー２６２は、角部４２７を乗り越えることになる。このため、角形リング２６を移動させる使用者は、固定バー２６２が角部４２７を乗り越えた際にクリック感を感じることができ、クリック感によって固定バー２６２が係止溝部３２に入ったことを確認することができる。
【００４９】
スクリーン固定部材１Ａからスクリーン２１を取り外すには、角形リング２６を前方に移動させて固定バー２６２を係止溝部３２から固定バー通路６に移動させ、さらに角形リング２６を前方に移動させて固定バー２６２を固定バー通路６に沿って前側に移動させ、固定バー２６２をスクリーン固定部材１Ａから取り外す。
固定バー２６２が固定バー通路６から取り外されることで、付勢部材４への負荷がなくなり、付勢部材４の姿勢が復元される。
【００５０】
次に、上述した第１実施形態によるスクリーン固定部材の作用・効果について図面を用いて説明する。
上述した第１実施形態によるスクリーン固定部材１Ａでは、固定バー２６２が固定バー通路６を通過するためには、幅小部６４を押し広げる必要がある。このため、固定バー２６２が幅小部６４を押し広げるために必要な力を、強風などによってスクリーン２１がバタついた際に固定バー２６２に作用する力よりも大きく設定することにより、強風などによってスクリーン２１がバタついた場合でも、係止溝部３２に係止された固定バー２６２が固定バー通路６を通って係止溝部３２から外れてしまうことを防止することができる。
【００５１】
また、スクリーン固定部材１Ａには、固定バー２６２を係止溝部３２に付勢する付勢部材４が設けられていることにより、固定バー２６２が係止溝部３２に係止された状態を維持することができる。また、付勢部材４が設けられていない既存のスクリーン固定部材に対しても、付勢部材４を追加して設けることで、固定バー２６２が係止溝部３２に係止された状態を維持することができる。
また、付勢部材４は、スクリーン２１が巻取られる方向と同じ方向に固定バー２６２を付勢していることにより、付勢部材４の復元力、およびスクリーン２１が巻き取られる力の両方で固定バー２６２を係止溝部３２に付勢するため、固定バー２６２を係止溝部３２係止された状態に維持することができる。
【００５２】
また、固定バー通路６は、固定バー２６２を係止するフック部材３と固定バー２６２係止溝部３２に付勢する付勢部材４によって形成されていることにより、固定バー通路６を形成するための部材が必要なく、スクリーン固定部材１Ａを簡便な構造とすることができる。
また、固定バー通路６には、係止溝部３２との境界部分に内側に突出する角部４２７が形成されていることにより、固定バー２６２が角部４２７を乗り越える際のクリック感によって固定バー２６２が角部４２７よりも係止溝部３２側に位置し、係止溝部３２に係止されているかどうかを確認することができる。
【００５３】
（第２実施形態）
次に、他の実施形態について、添付図面に基づいて説明するが、上述の第１実施形態と同一又は同様な部材、部分には同一の符号を用いて説明を省略し、第１実施形態と異なる構成について説明する。
図８に示すように、第２実施形態によるスクリーン固定部材１Ｂは、付勢部材４Ｂのばね板部４２Ｂの形状が、図９に示す第１実施形態によるスクリーン固定部材１Ａの付勢部材４のばね板部４２の形状と異なっている。付勢部材４Ｂの付勢部材固定板部４１は第１実施形態によるスクリーン固定部材１Ａの付勢部材４の付勢部材固定板部４１と同様の形態である。
【００５４】
図８および図９に示すように、付勢部材４Ｂのばね板部４２Ｂは、付勢部材固定板部４１の前縁部から前側に延びる第１ばね板部４３１と、第１ばね板部４３１の前縁部から後側に向かって漸次上側に向かう斜め方向に延びる第２ばね板部４３２と、を有している。第１ばね板部４３１と第２ばね板部４３２との接続部がばね板部４２Ｂの前縁部となっている。
【００５５】
図８に示すように、ばね板部４２Ｂの前縁部は、フック部材３の係止溝形成板部３３２とフック前板部３３３との接続部分３３４の下側に配置されている。フック前板部３３３の前側部分の下側には、ばね板部４２Ｂがなく、フック前板部３３３の前側部分の下側には屋外床部１５が配置されている。第１ばね板部４３１および第２ばね板部４３２は、係止溝形成板部３３２とフック前板部３３３との接続部分３３４および係止溝形成板部３３２の下側に配置されている。
第１ばね板部４３１は、上面および下面が付勢部材固定板部４１と面一で、下面が屋外床部１５と当接するように設定されている。
【００５６】
第２ばね板部４３２の後縁部は、フック後板部３３１よりも前側に配置されている。第２実施形態では、フック前板部３３３と屋外床部１５との間、および第２ばね板部４３２と、係止溝形成板部３３２とフック前板部３３３との接続部分３３４との間に、固定バー２６２が通過する固定バー通路６Ｂが形成されている。
第２実施形態では、フック前板部３３３、係止溝形成板部３３２とフック前板部３３３との接続部分３３４、および第２ばね板部４３２が本発明の通路形成部に相当している。フック前板部３３３、係止溝形成板部３３２とフック前板部３３３との接続部分３３４が、本発明の第１通路形成部に相当し、第２ばね板部４３２が第２通路形成部に相当している。
【００５７】
固定バー通路６Ｂは、前側部分のフック前板部３３３と屋外床部１５との間、および第２ばね板部４３２とフック前板部３３３の後縁部近傍との間隔が固定バー２６２の外径よりも大きく形成され、後側部分の第２ばね板部４３２と係止溝形成板部３３２の前縁部近傍との間隔が固定バー２６２の外径よりも小さい幅小部６４Ｂに形成されている。
第２ばね板部４３２および係止溝形成板部３３２の前縁部近傍が、本発明の幅小部形成部に相当している。
【００５８】
続いて、スクリーン２１をスクリーン固定部材１Ｂに固定する方法について説明する。
スクリーン２１を巻取り部２２から引き出し、角形リング２６を屋外床部１５に近づける。
角形リング２６の固定バー２６２を、固定バー通路６Ｂに前側から挿入し、後側に移動させる。このとき、固定バー２６２がフック前板部３３３と当接すると、固定バー２６２をフック前板部３３３に沿って後側に移動させることができる。
【００５９】
屋外床部１５とフック前板部３３３との間を通過した固定バー２６２を、係止溝形成板部３３２とフック前板部３３３との接続部分３３４と第２ばね板部４３２との間を後側に向かって移動させる。
係止溝形成板部３３２とフック前板部３３３との接続部分３３４と第２ばね板部４３２との間における前側部分は、固定バー２６２の外径よりも大きいが、後側部分は固定バー２６２の外径よりも小さい幅小部６４Ｂであるため、固定バー２６２が幅小部６４Ｂに達すると、係止溝形成板部３３２とフック前板部３３３との接続部分３３４および第２ばね板部４３２と当接し、第２ばね板部４３２を下側に押すように付勢部材４Ｂを弾性変形させながら後側に移動する。
なお、フック部材３も弾性変形可能であるが、フック部材３よりも付勢部材４Ｂのほうが小さい力で弾性変形可能であるため、フック部材３は弾性変形しないか、ほとんど弾性変形しないこととなる。
【００６０】
固定バー通路６Ｂを通過した固定バー２６２は、係止溝形成板部３３２の係止溝部３２と第２ばね板部４３２との間に入り込む。係止溝部３２と第２ばね板部４３２との間隔は、固定バー２６２の外径よりも小さくなるように設定されているため、付勢部材４Ｂは、第２ばね板部４３２が固定バー２６２に下側に押されることで弾性変形する。固定バー２６２は、付勢部材４Ｂの復元力によって上側（係止溝部３２側）に付勢され、係止溝部３２に収容された状態に維持される。
第２実施形態でも、付勢部材４Ｂによって固定バー２６２が付勢される方向は、スクリーン２１が巻取り部２２（図１参照）に引き上げられる方向と同じ方向となるように設定されている。
【００６１】
スクリーン固定部材１Ｂからスクリーン２１を取り外すには、角形リング２６を前方に移動させて固定バー２６２を係止溝部３２から固定バー通路６Ｂに移動させ、さらに角形リング２６を前方に移動させて固定バー２６２を固定バー通路６Ｂに沿って前側に移動させ、固定バー２６２をスクリーン固定部材１Ｂから取り外す。
固定バー２６２が固定バー通路６Ｂから取り外されることで、付勢部材４Ｂへの負荷がなくなり、付勢部材４Ｂの姿勢が復元される。
【００６２】
第２実施形態によるスクリーン固定部材１Ｂでは、第１実施形態と同様の効果を奏する。
また、第２実施形態によるスクリーン固定部材１Ｂは、付勢部材４Ｂのばね板部４２Ｂの形状を簡便な形状とすることができるため、スクリーン固定部材１Ｂを容易に製作することができる。
【００６３】
（第３実施形態）
図１０に示すように、第３実施形態によるスクリーン固定部材１Ｃは、第１実施形態および第２実施形態のスクリーン固定部材１Ａ，１Ｂが備える付勢部材４を備えていないとともに、フック部材３Ｃの形状が第１実施形態および第２実施形態のスクリーン固定部材１Ａ，１Ｂのフック部材３の形状と異なっている。
【００６４】
図１０および図１１に示すように、第３実施形態によるスクリーン固定部材１Ｃのフック部材３Ｃは、第１実施形態および第２実施形態のフック部材３と同様のフック部材固定板部３１およびフック板部３３を有するとともに、フック部材固定板部３１の前縁部における、フック後板部３３１が接続されている部分の左右方向の両側それぞれから前側にのびるフック下板部３４を有している。
フック下板部３４は、フック部材固定板部３１と同じ厚さでフック部材固定板部３１と同一面内に配置されるように形成されている。
フック下板部３４は、フック後板部３３１、係止溝形成板部３３２、フック前板部３３３と上下方向に重ならない位置に配置されている。
【００６５】
第３実施形態のスクリーン固定部材１Ｃは、フック部材３Ｃのフック部材固定板部３１、フック下板部３４の下面が屋外床部１５と当接し、フック部材３Ｃの上部にカバー部材５が配置された状態で屋外床部１５に固定されている。
スクリーン２１の固定部材は、固定バー２６２がフック下板部３４とフック前板部３３３との間に前側から挿入され、係止溝部３２の下側に達した固定バー２６２を係止溝部３２に係止するように構成されている。第３実施形態では、フック下板部３４とフック前板部３３３および係止溝形成板部３３２とフック前板部３３３との接続部分３３４との間に固定バー通路６Ｃが形成されている。
【００６６】
第３実施形態では、フック下板部３４、フック前板部３３３、および係止溝形成板部３３２とフック前板部３３３との接続部分３３４が、本発明の通路形成部に相当している。
固定バー通路６Ｃは、係止溝形成板部３３２とフック前板部３３３との接続部分３３４とフック下板部３４と間に、幅寸法が固定バー２６２の外径よりも小さく設定された幅小部６４Ｃが形成されている。
係止溝形成板部３３２とフック前板部３３３との接続部分３３４、およびフック下板部３４が、本発明の幅小部形成部に相当している。
【００６７】
固定バー２６２は、スクリーン固定部材１Ｃのカバー部材５の左右方向の長さ寸法よりも大きく形成されていることにより、フック部材３Ｃの左右方向の長さ寸法よりも大きく形成されている。このため、スクリーン固定部材１Ｃは、固定バー２６２がフック下板部３４とフック前板部３３３との間に挿入されると、フック前板部３３３の下側に固定バー２６２の左右方向の中間部が配置され、フック下板部３４の上側に固定バー２６２の幅方向の外側部分（上側にフック前板部３３３が配置された部分の両側方の部分）が配置されるように構成されている。
【００６８】
続いて、スクリーン２１をスクリーン固定部材１Ｃに固定する方法について説明する。
スクリーン２１を巻取り部２２（図１参照）から引き出し、角形リング２６を屋外床部１５に近づける。
角形リング２６の固定バー２６２を、スクリーン固定部材１Ｃのフック部材３Ｃのフック前板部３３３フック下板部３４との間の固定バー通路６Ｃに前側から後側に向かって挿入する。このとき、固定バー２６２がフック前板部３３３またはフック下板部３４と当接すると、固定バー２６２を当接した板部に沿って後側に移動させることができる。
固定バー２６２が固定バー通路６Ｃの幅小部６４Ｃに達すると、固定バー２６２がフック前板部３３３とフック下板部３４との間隔を押し広げようとする。フック下板部３４が屋外床部１５と当接していて下側へ移動できないため、フック前板部３３３が上側に押されるようにしてフック部材３Ｃが弾性変形し、フック前板部３３３とフック下板部３４との間隔が押し広げられる。
これにより、固定バー２６２は、幅小部６４Ｃを通過し、係止溝部３２の下側に配置される。スクリーン２１は上方に巻きとられる方向に付勢されているため、使用者が角形リング２６を離すと角形リング２６が上側に移動し、固定バー２６２が係止溝部３２に下側からひっかけられた状態となる。
フック部材３Ｃは、固定バー２６２が幅小部６４Ｃを通過した後には、弾性変形が復元される。
【００６９】
スクリーン固定部材１Ｃからスクリーン２１を取り外すには、まず、角形リング２６を前方に移動させて固定バー２６２を係止溝部３２から固定バー通路６Ｃに移動させ、固定バー通路６Ｃを前側に移動させてスクリーン固定部材１Ｃから取り外す。固定バー２６２が幅小部６４を通過する際には、フック部材３Ｃが弾性変形して幅小部６４Ｃが押し広げられて固定バー２６２が幅小部６４Ｃを通過することができる。
【００７０】
第３実施形態によるスクリーン固定部材１Ｃでは、固定バー２６２が固定バー通路６Ｃを通過するためには、幅小部６４Ｃを押し広げる必要がある。このため、固定バー２６２が幅小部６４Ｃを押し広げるために必要な力を、強風などによってスクリーン２１がバタついた際に固定バー２６２に作用する力よりも大きく設定することにより、強風などによってスクリーン２１がバタついた場合でも、係止溝部３２に係止された固定バー２６２が固定バー通路６Ｃを通って係止溝部３２から外れてしまうことを防止することができる。
【００７１】
以上、本発明によるスクリーン固定部材の実施形態について説明したが、本発明は上記の実施形態に限定されるものではなく、その趣旨を逸脱しない範囲で適宜変更可能である。
例えば、上記の第１実施形態および第２では、付勢部材４，４Ｂは、スクリーン２１が巻取られる方向と同じ方向に固定バー２６２を付勢しているが、付勢部材４，４Ｂが固定バー２６２を付勢する方向は、固定バー２６２が係止される方向であれば、スクリーン２１が巻取られる方向と異なっていてもよい。
【００７２】
また、上記の第１実施形態では、固定バー通路６には、係止溝部３２との境界部分に内側に突出する角部４２７が形成され、固定バー２６２が角部４２７を乗り越える際のクリック感によって固定バー２６２が角部４２７よりも係止溝部３２側に位置し、係止溝部３２に係止されているかどうかを確認できるように構成されているが、固定バー通路６に角部４２７が形成されていなくてもよい。また、固定バー通路６に角部４２７が形成されている場合は、角部の形状や位置は適宜設定されてよい。
【００７３】
また、上記の実施形態では、スクリーン２１が屋外に設けられ、スクリーン固定部材１Ａ〜１Ｃが屋外床部１５に取り付けられているが、スクリーン２１が屋内に設けられ、スクリーン固定部材１Ａ〜１Ｃが屋内の床部に取り付けられていてもよい。
また、上記の実施形態では、スクリーン２１は、上方に巻き取られていて、下方に引き出されるように構成されているが、水平方向に巻き取り・巻き出されるように構成されていてもよい。このような場合は、スクリーン固定部材１Ａ〜１Ｃが壁部や柱などに取り付けられていてもよい。
また、上記の実施形態では、スクリーン固定部材１Ａ〜１Ｃは、角形リング２６の固定バー２６２を係止可能に構成されているが、スクリーン固定部材１Ａ〜１Ｃが係止する被係止部の形態は、適宜設定されてよい。
【符号の説明】
【００７４】
１Ａ〜１Ｃ  スクリーン固定部材
３，３Ｃ  フック部材
４，４Ｂ  付勢部材
６  固定バー通路（通路）
１５  屋外床部（固定部）
２１  スクリーン
２５  固定部
３２  係止溝部
６４，６４Ｂ，６４Ｃ  幅小部
２６２  固定バー（被係止部）
４２７  角部
【図１】
2019148142.tif 000003
【図２】
2019148142.tif 000004
【図３】
2019148142.tif 000005
【図４】
2019148142.tif 000006
【図５】
2019148142.tif 000007
【図６】
2019148142.tif 000008
【図７】
2019148142.tif 000009
【図８】
2019148142.tif 000010
【図９】
2019148142.tif 000011
【図１０】
2019148142.tif 000012
【図１１】
2019148142.tif 000013